(57)【要約】  外部及び内部カセットを備える塗膜転写具が提供される。内部カセットは、転写テープを被転写面に押圧して塗膜を転写する転写押圧部を有する。外部カセットは、ボタンを有する。ボタンを押圧して外部カセット内に押し込むことにより、転写押圧部が外部カセットから突出し、ボタンの押圧を解除すると、弾性部材の作用により転写押圧部が外部カセット内に収納される。転写押圧部の押圧姿勢において押圧方向を下側とした場合に、ボタンは塗膜転写具の上側となる面に設けられる。転写押圧部の突出方向を前後方向とした場合に、最押し込み状態におけるボタンの前後方向の中間位置から転写押圧部の先端までの距離を塗膜転写具の前後方向の全長で割った値が０．３５以下である。塗膜転写具は、最押し込み状態で、転写押圧部に作用する転写押圧部を外部カセット内へ押し戻す外力のボタンへの作用を低減する外力作用低減部をさらに備える。
2018037578.tif 000002
【特許請求の範囲】
【請求項１】
外部カセット及び前記外部カセット内に収納された内部カセットを備える塗膜転写具であって、
前記内部カセットは、
基材テープ上に塗膜を設けた転写テープを繰出す繰出部と、
前記転写テープを被転写面に押圧して前記塗膜を転写する転写押圧部と、
塗膜転写後の前記基材テープを巻取る巻取部と、
前記繰出部と前記巻取部を連動回転させる連動回転機構と
を有し、
前記外部カセットは、ボタン及び弾性部材を有し、
前記ボタンを押圧して前記外部カセット内に押し込むことにより、前記転写押圧部が前記外部カセットから突出し、前記ボタンの押圧を解除すると、前記弾性部材の作用により前記転写押圧部が前記外部カセット内に収納され、
前記塗膜を転写するために前記転写押圧部を前記被転写面に押圧する押圧姿勢において押圧方向を下側とした場合に、前記ボタンは前記塗膜転写具の上側となる面に設けられ、
前記転写押圧部の突出方向を前後方向とし、前記ボタンを前記外部カセット内に最も押し込んだ状態である最押し込み状態における前記転写押圧部の先端を前端とした場合に、前記最押し込み状態における前記ボタンの前記前後方向の中間位置から前記前端までの距離を前記塗膜転写具の前記前後方向の全長で割った値が０．３５以下であり、
前記塗膜転写具は、前記最押し込み状態で、前記転写押圧部に作用する前記転写押圧部を前記外部カセット内へ押し戻す外力の前記ボタンへの作用を低減する外力作用低減部
をさらに備え、
前記外力作用低減部は、前記ボタンに設けられた係合部を含み、
前記係合部は、前記ボタンを押圧すると前記内部カセットと係合し、前記ボタンの押圧を解除すると前記弾性部材の作用により前記内部カセットとの係合が解除される、
塗膜転写具。
【請求項２】
前記ボタンを押圧すると、前記内部カセットに設けられた移動軸が前記ボタンに設けられた長穴内を移動し、又は前記ボタンに設けられた移動軸が前記内部カセットに設けられた長穴内を移動することによって、前記内部カセットが前記外部カセット内を移動して、前記転写押圧部が前記外部カセットから突出する、
請求項１に記載の塗膜転写具。
【請求項３】
前記外力作用低減部は、前記移動軸と係合する軸保持部をさらに含み、
前記軸保持部は、前記最押し込み状態において、前記転写押圧部を前記外部カセット内へ押し戻す外力によって前記移動軸と係合する方向に前記長穴から延設された切り欠き部を含む、請求項２に記載の塗膜転写具。
【発明の詳細な説明】
【技術分野】
【０００１】
本発明は、文字修正用塗膜、接着用の粘着剤塗膜、装飾用塗膜等を被転写面に押圧転写するための塗膜転写具に関し、特に、塗膜転写具を使用したことがなく、使い方がよくわからない使用者でも、塗膜を転写するために最適な塗膜転写具の持ち方をすることができる塗膜転写具に関する。
【背景技術】
【０００２】
塗膜転写具は、一般に、テープの外面に塗布された糊や修正インクなどの塗膜を、紙などの被転写体へ転写するようになっている。テープは、ケース部分より突出した転写ヘッドに掛け回されている。そのため、転写ヘッドを押す押圧力が一定でないと、転写された塗膜が蛇行したり、細切れに転写されたりし、使用者が意図したように転写することができないことがある。【０００３】
転写ヘッドにかかる押圧力を一定にし、転写ヘッドが蛇行しないように使用するためには、塗膜転写具の持ち方が非常に重要である。使い慣れた使用者は、どのような持ち方が適切であるかを知っているので、塗膜転写具を上手に使用することができる。しかしながら、塗膜転写具を使い慣れていない使用者は、適切な持ち方がわからず、適切な持ち方をしない。そのため、転写ヘッドにかかる押圧力が一定せず、或いは転写ヘッドが蛇行して、思ったように塗膜を転写することができないことが多い。【０００４】
このような塗膜転写具を適切な持ち方で持たないことにより発生する不具合を防止するために、従来から特許文献１，２のような塗膜転写具が提案されてきた。特許文献１は、指先当接部を設けた転写具を開示しており、特許文献２は、親指が当接する第１凹陥部、人差し指と親指の指間が当接する第２凹陥部、及び中指あるいは薬指が当接する第３凹陥部を形成した塗膜転写具を開示している。【０００５】
しかしながら、特許文献１や特許文献２の（塗膜）転写具では、必ずしも、使用者が指先当接部に指先を当接させなくても、或いは各凹陥部にそれぞれの指を当接させなくても、（塗膜）転写具を使用して、塗膜を被転写面に転写することはできる。このため、特許文献１や特許文献２の（塗膜）転写具では、使用者の持ち方を、塗膜を転写するために適切な持ち方に限定することはできない。よって、塗膜転写具を使用したことがなく、使い方がよくわからない使用者に、塗膜を転写するために最適な塗膜転写具の持ち方をしてもらうための対策としては、不十分であった。
【先行技術文献】
【特許文献】
【０００６】
【特許文献１】特開２０１４−０５１０６６号公報
【特許文献２】特開２０１２−２００９６５号公報
【発明の概要】
【発明が解決しようとする課題】
【０００７】
本発明が解決しようとする課題は、塗膜転写具を使用したことがなく、使い方がよくわからない使用者であっても、塗膜を転写するために最適な塗膜転写具の持ち方をして、転写された塗膜が蛇行したり、細切れに転写されたものとなったりせず、使用者が意図したように転写することができる塗膜転写具の提供である。
【課題を解決するための手段】
【０００８】
本発明の第１観点に係る塗膜転写具は、外部カセット及び前記外部カセット内に収納された内部カセットを備える。前記内部カセットは、基材テープ上に塗膜を設けた転写テープを繰出す繰出部と、前記転写テープを被転写面に押圧して前記塗膜を転写する転写押圧部と、塗膜転写後の前記基材テープを巻取る巻取部と、前記繰出部と前記巻取部を連動回転させる連動回転機構とを有する。前記外部カセットは、ボタン及び弾性部材を有する。前記ボタンを押圧して前記外部カセット内に押し込むことにより、前記転写押圧部が前記外部カセットから突出し、前記ボタンの押圧を解除すると、前記弾性部材の作用により前記転写押圧部が前記外部カセット内に収納される。前記塗膜を転写するために前記転写押圧部を前記被転写面に押圧する押圧姿勢において押圧方向を下側とした場合に、前記ボタンは前記塗膜転写具の上側となる面に設けられる。前記転写押圧部の突出方向を前後方向とし、前記ボタンを前記外部カセット内に最も押し込んだ状態である最押し込み状態における前記転写押圧部の先端を前端とした場合に、前記最押し込み状態における前記ボタンの前記前後方向の中間位置から前記前端までの距離を前記塗膜転写具の前記前後方向の全長で割った値が０．３５以下である。前記塗膜転写具は、外力作用低減部をさらに備える。前記外力作用低減部は、前記最押し込み状態で、前記転写押圧部に作用する前記転写押圧部を前記外部カセット内へ押し戻す外力の前記ボタンへの作用を低減する。前記外力作用低減部は、前記ボタンに設けられた係合部を含む。前記係合部は、前記ボタンを押圧すると前記内部カセットと係合し、前記ボタンの押圧を解除すると前記弾性部材の作用により前記内部カセットとの係合が解除される。【０００９】
本発明の第２観点に係る塗膜転写具は、第１観点に係る塗膜転写具であって、前記ボタンを押圧すると、前記内部カセットに設けられた移動軸が前記ボタンに設けられた長穴内を移動し、又は前記ボタンに設けられた移動軸が前記内部カセットに設けられた長穴内を移動することによって、前記内部カセットが前記外部カセット内を移動して、前記転写押圧部が前記外部カセットから突出する。【００１０】
本発明の第３観点に係る塗膜転写具は、第２観点に係る塗膜転写具であって、前記外力作用低減部は、前記移動軸と係合する軸保持部をさらに含む。前記軸保持部は、前記最押し込み状態において、前記転写押圧部を前記外部カセット内へ押し戻す外力によって前記移動軸と係合する方向に前記長穴から延設された切り欠き部を含む。
【発明の効果】
【００１１】
第１観点では、転写押圧部を被転写面に押圧する押圧姿勢における上側面の前端に近い位置に、外部カセットの内部方向に押し込むボタンが設けられている。また、このボタンを押圧し続けなければ、転写押圧部が内部に収納され、塗膜を転写できない。このため、使用者は、転写押圧部の付近の転写押圧部に押圧力を負荷しやすい位置を、塗膜転写具を掴む方向に指で押さえなければ、塗膜を転写することができない。このように、第１観点では、塗膜転写具の保持と転写押圧部への押圧に適した位置に設けられ、かつ、塗膜転写具の保持と転写押圧部への押圧に適した押圧方向であるボタンが提供される。そして、このボタンを押圧し続けなければ、転写押圧部が内部に収納され、塗膜を転写できない。このため、塗膜転写具を使用したことがなく、使い方がよくわからない使用者であっても、塗膜を転写するために最適な塗膜転写具の持ち方をすることができる。よって、転写された塗膜が蛇行したり、細切れに転写されたものとなったりせず、使用者が意図したように塗膜を転写することができるようになる。さらには、転写押圧部を内部に押し戻す外力がボタンへ作用しにくくしたので、転写押圧部を被転写面に押圧する力で不意にボタンが押し戻され、塗膜転写ができない状態になることもない。
【図面の簡単な説明】
【００１２】
【図１】本発明の第１実施形態の塗膜転写具の内部カセットを示す図である。
【図２】本発明の第１実施形態の塗膜転写具の外部カセットへの内部カセットの装着の際に、ボタンに内部カセットを装着した状態を示す図である。
【図３】本発明の第１実施形態の塗膜転写具のケースにトーションバネを装着し、位置関係を明確にするために内部カセットを装着する前のボタンをケースに装着した状態を示す図である。
【図４】本発明の第１実施形態の塗膜転写具のケースにトーションバネを装着し、ボタンに装着した内部カセットをケースに装着し終えた状態を示す図である。
【図５】本発明の第１実施形態の塗膜転写具のケースにカバーを装着することによって、組立が完成した状態を示す図である。
【図６】本発明の第１実施形態の塗膜転写具のボタンを押圧して、転写ヘッドが出入したそれぞれの状態を示す図である。
【図７】本発明の第１実施形態の塗膜転写具の被転写面への押圧姿勢を示す図である。
【発明を実施するための形態】
【００１３】
図５と図６に本発明の第１実施形態の塗膜転写具Ａ全体を、図１に第１実施形態の塗膜転写具Ａの内部カセット２を示す。
【００１４】
塗膜転写具Ａは、基材テープＴ１上に塗膜を設けた転写テープＴを繰出部から繰出し、転写押圧部で転写テープＴを押圧して塗膜を被転写面へ転写した後、基材テープＴ１を巻き取るように構成されている。また、基材テープＴ１の巻取り長さが転写テープＴの繰出し長さより長くなるように、繰出コアと巻取コアを連動回転させ、転写テープＴに適度な張力をかけることによって、転写テープＴがたるまないように構成されている。
【００１５】
塗膜転写具Ａの筐体部分である外部カセット１は、少なくともケース１１、カバー１２及びボタン１３で構成されている。外部カセット１は内部に空間を有する筐体であり、内部の空間に内部カセット２を収納する。外部カセット１のボタン１３を押圧すると、内部カセット２の転写押圧部２５が外部カセット１から突出し、転写テープＴから塗膜が転写可能となる。
【００１６】
図１に内部カセット２を示す。図１（ａ）は、内部カセット２の部品構成を示すために、内ケース２１及び内カバー２２とその他の部品とに分離し、その他の部品が内部カセット２に組み込まれた状態に配置した図であり、図１（ｂ）は、内部カセット２の組立が完了した状態を示す図であり、図１（ｃ）は、内ケース２１単体を図１（ａ）とは反対方向から見た図である。図１に示すように、内部カセット２は、内ケース２１と内カバー２２で構成される筐体に、繰出コア２３と巻取コア２４が回転可能に軸支されている。繰出コア２３には転写テープＴが巻きつけられ、転写テープＴを繰出す繰出部が形成されており、巻取コア２４は塗膜の転写後の基材テープＴ１を巻き取る巻取部となっている。内部カセット２からは転写ヘッド２５が突出し、転写テープＴから塗膜を被転写面に押圧転写する転写押圧部が形成される。
【００１７】
内部カセット２では、内ケース２１を内カバー２２へ固定する方法として、その一方に設けたピンを他方に設けた穴に圧入して嵌合する方法が用いられているが、これらを固定する方法は嵌合に限定されるものではなく、任意の方法を用いることができる。
【００１８】
繰出コア２３と巻取コア２４には、プーリー部２３１、２４１が設けられている。プーリー部２３１と２４１には１本のＯリング２６が掛けまわされ、繰出コア２３と巻取コア２４はＯリング２６により連動回転可能となっている。内部カセット２では、基材テープＴ１の巻取り長さが転写テープＴの繰出し長さより長くなるように、繰出コア２３の転写テープＴを巻き付ける外径と巻取コア２４の基材テープＴ１を巻き付ける外径とが設定される。そして、Ｏリング２６と巻取コア２４のプーリー部２４１とが滑ることによって、転写テープＴの繰り出し長さと基材テープＴ１の巻き取り長さの差を吸収するように、繰出コア２３と巻取コア２４とが連動回転する。これにより、転写テープＴに適度な張力がかかり、転写テープＴがたるまない。内部カセット２ではコア同士の連動機構として、Ｏリングを使用しているが、本発明の塗膜転写具の連動機構はＯリングに限定されるものではなく、ギヤや摩擦車など、任意の連動機構が使用可能である。
【００１９】
内部カセット２の組み立てに当たっては、まず内ケース２１に、転写ヘッド２５と、転写テープＴを含む繰出コア２３及び巻取コア２４とを、転写テープＴのルートを形成しつつ組み込む。次に、繰出コア２３と巻取コア２４のそれぞれのプーリー部２３１、２４１にＯリング２６を掛け回し、最後に内ケース２１に内カバー２２を装着する。
【００２０】
塗膜転写具Ａでは、内部カセット２は内ケース２１に設けられた３箇所の円柱状の移動軸と内カバー２２に設けられた２箇所の円柱状の移動軸によって、外部カセット１内部を摺動可能となるように、外部カセット１に収納される。図１に示すように、内ケース２１には、転写ヘッド２５側から順に３本の移動軸２１１、２１２、２１３が設けられる。内カバー２２には、内ケース２１の２本の移動軸２１２、２１３に相当する位置に、移動軸２２２、２２３が設けられる。
【００２１】
内部カセット２が収納される外部カセット１は、図６に示すように、ケース１１、カバー１２、ボタン１３、及びトーションバネ１４の４部品で構成される。トーションバネ１４は、外部から内部へ押圧して外部カセット１内に没入させたボタン１３を、外部へ押し戻す弾性力を付加する弾性部材である。したがって、例えば、ケース及び／又はカバーに一体に設けた弾性部材などによって、ボタン１３を押し戻す弾性力が付加できれば、必ずしもトーションバネ１４を使用する必要はない。
【００２２】
外部カセット１への内部カセット２の装着に当たっては、図２に示すように、まず、ボタン１３を内部カセット２へ装着する。ボタン１３は、外部カセット１の外部に露出して使用者が押圧する部分となる押圧板１３１と、押圧板１３１の両端から略平行に突出する２枚のガイド板１３２から構成される。２枚のガイド板１３２には長穴であるガイド穴１３２１が対向する位置に設けられている。また、ボタン１３には、ケース１１とカバー１２の回転中心軸１１３、１２３が挿入されて、外部からボタン１３が押圧された際にボタン１３の回転中心となる回転中心穴１３２２が設けられている。
【００２３】
ボタン１３の２枚のガイド板１３２を弾性変形させることによって、２枚のガイド板１３２の間隔を広げて、２枚のガイド板間に内部カセット２を挿入する。また、内部カセットの移動軸２１２、２２２を長穴であるガイド穴１３２１に装着する。２枚のガイド板１３２間の距離は内部カセット２の幅よりも僅かに大きく、また、ガイド穴１３２１の幅は移動軸２１２、２２２の直径よりも僅かに大きくなっている。そのため、内部カセット２はガイド穴１３２１に沿って、ボタン１３に対して摺動可能となる。
【００２４】
図３に示すように、ケース１１のバネ受軸１１４にトーションバネ１４のコイル状部分の内径をセットする。次に、ボタン１３を装着した内部カセット２をケース１１に装着することによって、図４の状態とする。図３は、トーションバネ１４とボタン１３との位置関係を明確にするために、内部カセット２を装着する前のボタン１３をケース１１に装着した状態を示す図である。（実際の組立では、内部カセット２をボタン１３に装着した状態で、ケース１１に装着する）。図３（ａ）は内部カセット２を装着する前のボタン１３をケース１１に装着した状態を示す斜視図であり、図３（ｂ）は、図３（ａ）の状態をケース１１の上面を断面としてケース１１の上面側から見た断面図である。トーションバネ１４を装着したケース１１への、ボタン１３を装着した内部カセット２の装着に当たっては、内カバー２２の移動軸２２３を、ケース１１に設けられた長穴形状であるガイド溝１１１内に装着する。また、ボタン１３の回転中心穴１３２２にケース１１の回転中心軸１１３を装着する。このとき、ケース１１に装着されたトーションバネ１４の端部が、ボタン１３の押圧板１３１の内側に設けられた押さえリブ１３２３と当接する。これにより、ボタン１３をケース１１から押し出す方向へのトーションバネ１４の弾性力が負荷される。
【００２５】
最後に、内部カセット２が装着されたケース１１にカバー１２を装着することによって、図５に示す塗膜転写具Ａは完成する。カバー１２を装着する際には、カバー１２の内壁に設けられた長穴形状であるガイド溝１２１内に、内部カセット２の移動軸２１３を装着し、カバー１２の内壁に設けられた長穴形状であるガイド溝１２２内に、内部カセット２の移動軸２１１を装着する。また、カバー１２の内壁に設けられた回転中心軸１２３をボタン１３の回転中心穴１３２２に装着する。ガイド溝１２１、１２２、１１１の幅は、それぞれ移動軸２１３、２１１、２２３の外径よりも僅かに大きく、かつガイド溝１２１、１２２、及び１１１は平行に設けられている。そのため、内部カセット２は、これら３本のガイド溝に沿って、ケース１１とカバー１２に対して摺動可能となる。
【００２６】
塗膜転写具Ａでは、ケース１１をカバー１２へ固定する方法として、その一方に設けたピンを他方に設けた穴に圧入して嵌合する方法を用いているが、これらを固定する方法は嵌合に限定されるものではなく、任意の方法を用いることができる。
【００２７】
ボタン１３を押圧して内部へ押し込むと、ケース１１とカバー１２に設けられた回転中心軸１１３、１２３回りにボタン１３は回転し、塗膜転写具Ａは図６（ｂ）及び図６（ｃ）に示す状態となる。ボタン１３が回転中心軸１１３、１２３回りに回転すると、ボタン１３に設けられたガイド穴１３２１も回転中心軸１１３、１２３回りに回転する。ガイド穴１３２１内に挿入されている内部カセット２の移動軸２１２、２２２は、ガイド穴１３２１に対してガイド穴１３２１内を移動する。また、内部カセット２の移動軸２１１、２１３がそれぞれカバー１２のガイド溝１２２、１２１内に、移動軸２２３がケース１１のガイド溝１１１内に挿入されている。さらに、ガイド溝１２２、１２１、１１１は、外部カセット１に対し転写ヘッド２５が出入する方向を長手方向とする長穴形状である。よって、内部カセット２は外部カセット１に対して、外部カセット１に対し転写ヘッド２５が出入りする方向にのみ移動可能となっている。このため、ボタン１３を押し込んだ際に、ガイド穴１３２１から内部カセット２の移動軸２１２、２２２に伝達される力のうち、外部カセット１に対し転写ヘッド２５が出入する方向の成分のみが、内部カセット２の移動に作用する。その結果、内部カセット２は外部カセット１に対し転写ヘッド２５が出入する方向へ移動する。
【００２８】
なお、塗膜転写具Ａでは、ボタン１３を回転中心軸１１３、１２３回りに回転する形態としているが、本発明のボタン１３は回転式のものに限定されない。例えば、押圧方向へ平行移動する形態のものなど、任意の形態のボタンが使用可能である。また、塗膜転写具Ａでは、ボタン１３から内部カセット２への動力伝達方法を、ボタン１３に設けた長穴であるガイド穴１３２１と、内部カセット２に設けた円柱である移動軸２１２，２２２の組み合わせとしている。しかしながら、本発明の動力伝達方法は、ボタンに設けた円柱と内部カセットに設けた長穴の組み合わせの他、任意の方法が使用可能である。また、塗膜転写具Ａでは、内部カセット２と外部カセット１のスライド機構を、内部カセット２に設けた円柱である移動軸と、外部カセット１に設けた長穴であるガイド溝との組み合わせとしている。しかしながら、本発明のスライド機構は、内部カセット２が外部カセット内をスムーズにスライド可能なものであれば、任意の機構が使用可能である。
【００２９】
ボタン１３は、ガイド穴１３２１の端部と内部カセットの移動軸２１２、２２２が接触するまで回転して、外部カセット１内に押し込まれる。ガイド穴１３２１の端部に移動軸２１２、２２２が接触すると、ボタン１３に設けられた係合部である止めリブ１３２４が、内部カセット２の内ケース２１、内カバー２２のそれぞれに設けられた係合溝２１４、２２４と係合する。転写ヘッド２５が外部カセット１から突出した状態で、止めリブ１３２４と係合溝２１４、２２４は係合する。止めリブ１３２４と係合溝２１４、２２４との係合によって、転写ヘッド２５が内部へ押し戻される力を、止めリブ１３２４で受ける。止めリブ１３２４は、係合溝２１４、２２４とともに転写ヘッド２５が内部へ押し戻される力を受けるので、転写ヘッド２５を被転写面に押圧する力の反力がボタン１３へ作用するのを低減する外力作用低減部として作用する。このため、止めリブ１３２４と係合溝２１４、２２４を設けることにより、転写ヘッド２５に作用する被転写面からの反力により、不意に転写ヘッド２５が外部カセット１の内部に押し戻されることがなくなる。つまり、転写押圧部を内部に押し戻す外力がボタン１３へ作用しにくいため、転写押圧部を被転写面に押圧する力で不意にボタン１３が押し戻され、塗膜転写ができない状態になることもない。よって、使用者が強い力でボタン１３を押圧しなくても、安定して塗膜転写をすることができる。
【００３０】
転写押圧部である転写ヘッド２５を被転写面に押圧する力の反力がボタン１３へ作用するのを低減する効果（以下、反力低減効果という）を確実なものとするためには、止めリブ１３２４と係合溝２１４、２２４との係合代を長くすることが効果的である。係合代とは、止めリブ１３２４と係合溝２１４，２２４が係合時に重なり合う長さである。しかしながら、この係合代を大きくし過ぎると、ボタン１３の押圧を解除した際に、止めリブ１３２４と係合溝２１４、２２４の係合がスムーズに解除できない可能性がある。すなわち、使用者がボタン１３の押圧を解除しても、ボタン１３が戻らず、転写ヘッド２５が突出したままとなることもあり得る。しかしながら、係合代を短くし過ぎると、係合が外れて、反力低減効果が十分に発揮されないことがあり得、また、係合部が破損し易くなり得る。このような理由から、係合代の長さは１．０ｍｍ以上２．５ｍｍ以下が好ましく、１．５ｍｍ以上２．０ｍｍ以下がより好ましい。
【００３１】
また、止めリブ１３２４と係合溝２１４、２２４との係合の解除がスム−ズでない等の他の問題を生じることなく、反力低減効果をより確実なものとするためには、他の構造の外力作用低減部を併用することが好ましい。他の構造の外力作用低減部の好ましい例としては、切り欠き部１３２５が挙げられる。切り欠き部１３２５は、ボタン１３を外部カセット１内に最も押し込んだ状態において、転写ヘッド２５を外部カセット１内へ押し戻す外力によって移動軸２１２、２２２と係合する方向に、長穴１３２１から延設される。
【００３２】
切り欠き部１３２５は、移動軸２１２、２２２の外形形状とほぼ同形状で、移動軸２１２、２２２の外形よりも僅かに大きいことが好ましい。転写ヘッド２５を被転写面に押圧すると、転写ヘッド２５に被転写面を押圧する力の反力が作用し、この反力により転写ヘッド２５が外部カセット１の内部へ押し戻される方向に力が作用する。塗膜転写具Ａでは、ボタン１３に切り欠き部１３２５が設けられているので、転写ヘッド２５が僅かに外部カセット１の内部に押し戻された時点で、切り欠き部１３２５に移動軸２１２、２２２が係合する。切り欠き部１３２５と移動軸２１２、２２２とが係合することより、移動軸２１２、２２２が、ガイド穴１３２１内を移動することができなくなる。転写ヘッド２５に作用する反力が、ボタン１３に影響するためには、移動軸２１２，２２２がガイド穴１３２１内を移動することが必要である。よって、切り欠き部１３２５を設けることにより、反力低減効果をより確実なものとすることができる。
【００３３】
切り欠き部１３２５は、転写ヘッド２５に作用する外力自身によって、移動軸２１２、２２２と係合する。そのため、転写ヘッド２５の被転写面への押圧を解除するだけで、移動軸２１２、２２２との係合が解除される。したがって、止めリブ１３２４と係合溝２１４、２２４のように係合がスムーズに解除できなくなる可能性はない。
【００３４】
ケース１１に装着されたトーションバネ１４の端部がボタン１３の押圧板１３１の内側に設けられた押さえリブ１３２３と当接することによって、ボタン１３をケース１１から押し出す方向へトーションバネ１４の弾性力が負荷されている。このため、ボタン１３への押圧を解除すると、ボタン１３はケース１１とカバー１２に設けられた回転中心軸１１３、１２３回りに回転し、まず、止めリブ１３２４と係合溝２１４、２２４との係合が解除される。止めリブ１３２４と係合溝２１４，２２４の係合が解除されるので、内部カセット２も転写ヘッド２５が外部カセット１内に収納される方向へ移動可能となる。ボタン１３は、移動軸２１２、２２２がガイド穴１３２１の端部と接触して、それ以上回転できなくなるまで回転する。ボタン１３がトーションバネ１４の弾性力によって回転すると、ボタン１３に設けられたガイド穴１３２１も回転中心軸１１３、１２３回りに回転する。ガイド穴１３２１内に挿入されている内部カセットの移動軸２１２、２２２は、ガイド穴１３２１に対してガイド穴１３２１内を移動するので、ボタン１３を押圧した時とは逆に、転写ヘッド２５が外部カセット１内に収納される。これにより、塗膜転写具Ａはボタン１３を押圧する前の状態に復帰する。
【００３５】
塗膜転写具Ａでは、図７（ａ）に示すように、塗膜を転写するための転写押圧部である転写ヘッド２５を被転写面に押圧する押圧姿勢において、押圧方向を下側とした場合に、ボタン１３は塗膜転写具Ａの上側となる面に設けることが好ましい。塗膜転写具Ａは、図７（ｂ）のように転写ヘッド２５を被転写面に対して垂直に立てて使用することもできる。しかしながら、本発明における押圧姿勢とは、図７（ａ）のように転写ヘッド２５を被転写面に対して、図７（ａ）に示す角度Ｑが鋭角となるように傾けた状態での姿勢を意味する。図７（ａ）の状態で塗膜転写具Ａを使用する場合に、ボタン１３を上側に設けることによって、ボタン１３を押圧する指で、転写ヘッド２５への押圧力も負荷できる。そのため、転写ヘッド２５へ負荷する押圧力が安定し易くなる。
【００３６】
ボタン１３が外部カセット１内に最も押し込まれた状態における転写ヘッド２５の先端を塗膜転写具Ａの前端とし、転写ヘッド２５の突出方向を塗膜転写具Ａの前後方向とする。この場合に、ボタン１３が外部カセット１内に最も押し込まれた状態におけるボタン１３の前後方向の中間位置から前記前端までの距離（図６（ｂ）参照）を、塗膜転写具の前記前後方向の全長（図６（ｂ）参照）で割った値をＲとする。このとき、Ｒが０．３５以下であることが好ましく、より好ましくは０．３以下である。
【００３７】
塗膜転写具Ａでは、上記のようにボタン１３を押圧している間のみ、転写ヘッド２５が外部カセット１から突出する。そのため、ボタン１３を押圧している間しか、塗膜を被転写面に転写することができない。一方、塗膜転写具Ａでは、前記の押圧姿勢において、押圧方向を下側とした場合に、ボタン１３は塗膜転写具Ａの上側に設けられている。そのため、ボタンを押圧する方向が塗膜転写具Ａを保持する方向と一致するとともに、ボタンを押圧する指により、転写ヘッド２５への押圧力を負荷し易くなる。また、塗膜転写具Ａでは、Ｒが０．３５以下である。そのため、ボタンを押圧する指が転写ヘッド２５近傍で塗膜転写具を保持することになり、使用者が意図した押圧力を転写ヘッド２５へ安定的に負荷することができる。
【００３８】
このように、塗膜転写具Ａでは、ボタン１３が設けられていることにより、転写ヘッド２５近傍の転写ヘッド２５への押圧力を負荷し易い位置を、塗膜転写具Ａを掴む方向へ押圧しなければ、転写ヘッド２５が突出しない。このため、塗膜転写具を使用したことがなく、使い方がよくわからない使用者であっても、転写ヘッドへの押圧力を安定させることが難しい位置、すなわち、転写ヘッドから遠い位置を掴んで塗膜を転写することが無い。また、転写ヘッドへの押圧力を負荷し難い位置のみに指をあてがって、塗膜を転写することも無い。したがって、塗膜転写具を使用したことがなく、使い方がよくわからない使用者であっても、必ず、塗膜を転写するために最適な塗膜転写具の持ち方をする。よって、塗膜転写具Ａを使用することにより、転写された塗膜が蛇行したり、細切れに転写されたものとなったりせず、使用者が意図したように塗膜を転写することができる。
【００３９】
塗膜転写具Ａでは、不使用時には常に転写ヘッド２５が外部カセット１内に収納されているので、不使用時に転写ヘッド２５上の塗膜にキズがつくことはなく、異物が付着することもない。
【実施例】
【００４０】
図６（ａ）、（ｂ）に示す塗膜転写具であって、図６（ｂ）の塗膜転写具Ａの全長で、ボタン１３の中間位置から転写ヘッド先端までの距離を割った値Ｒが０．３の塗膜転写具Ａ１を準備した。塗膜転写具Ａ１の内部カセットに収納された転写テープは、幅が５ｍｍで全面に修正塗膜が塗布されたものを使用した。【００４１】
次に、塗膜転写具Ａ１と同じ内部カセットを使用し、外部カセット１のボタン１３押圧前の外観形状、ボタン１３の回転中心穴１３２２の位置、及びボタン１３を押圧することによる転写ヘッド２５の突出量が塗膜転写具Ａ１と同様で、ボタン１３の全長を変更することによって、Ｒを０．３５とした塗膜転写具Ａ２を準備した。【００４２】
また、塗膜転写具Ａ２と同様に、塗膜転写具Ａ１と同じ内部カセットを使用し、外部カセット１のボタン１３押圧前の外観形状、ボタン１３の回転中心穴１３２２の位置、及びボタン１３を押圧することによる転写ヘッド２５の突出量が塗膜転写具Ａ１と同様で、ボタン１３の全長を変更することによって、Ｒを０．４とした塗膜転写具Ｂ１を準備した。【００４３】
最後に、塗膜転写具Ａ１と同じ内部カセットを使用し、外部カセットの外観形状がボタンを押圧する前の塗膜転写具Ａ１と同様であるが、ボタン１３部分を押圧してもボタン１３部分は押し込むことができず、当初から転写ヘッドが外部へ突出している塗膜転写具Ｂ２を準備した。【００４４】
塗膜転写具を使用したことのないモニター１０名を準備し、このうち５名には、塗膜転写具Ｂ２、Ｂ１、Ａ２、Ａ１の順番で転写テストを実施させ、残り５名には、塗膜転写具Ａ１、Ａ２、Ｂ１、Ｂ２の順番で転写テストを実施させた。モニターには、塗膜転写具Ｂ１、Ａ２、Ａ１については、ボタンを押した状態でなければ塗膜転写ができないこと、転写ヘッドを押圧しながら転写ヘッドを移動することによって塗膜が転写できること、及び、塗膜を転写するために塗膜転写具を移動する方向のみを説明し、塗膜転写具の持ち方については一切説明しなかった。【００４５】
まず、最初に使用する塗膜転写具を、任意に２回程度転写して、塗膜転写の仕方を理解した後に、転写テストを実施した。６ｍｍ幅×２００ｍｍの長方形の枠を印刷したＡ４サイズのＰＰＣ用紙を準備し、塗膜を前記枠の端から端まで連続して、枠から塗膜がはみ出さないように転写するようモニターに指示して、転写テストを実施した。【００４６】
転写テストの結果を表１に示す。テスト結果は、転写塗膜の直進性（枠からの転写塗膜のはみ出し有無）と、転写塗膜の連続性について評価した。転写塗膜の直進性については、全く枠からのはみ出しが無ければ３、長さ１０ｍｍ未満の枠からのはみ出しが２箇所以下であれば２、長さ１０ｍｍ以上の枠からのはみ出しがあるか、或いは、長さ１０ｍｍ未満の枠からのはみ出しが３個以上であれば１とした。転写塗膜の連続性については、全く途切れずに転写できていれば３、途切れた部分が２箇所以下であれば２、途切れた部分が３箇所以上であれば１とした。【００４７】
【表１】
2018037578.tif 000003
【符号の説明】
【００４８】
Ａ                    ：塗膜転写具
Ｔ                    ：転写テープ
Ｔ１                  ：基材テープ
１                    ：外部カセット
１１                  ：ケース
１１１                ：ガイド溝
１１３                ：回転中心軸
１１４                ：バネ受軸
１２                  ：カバー
１２１、１２２        ：ガイド溝
１２３                ：回転中心軸
１３                  ：ボタン
１３１                ：押圧板
１３２                ：ガイド板
１３２１              ：ガイド穴
１３２２              ：回転中心穴
１３２３              ：押さえリブ
１３２４              ：止めリブ
１３２５              ：切り欠き部
１４                  ：トーションバネ
２                    ：内部カセット
２１                  ：内ケース
２１１、２１２、２１３：移動軸
２１４                ：係合溝
２２                  ：内カバー
２２２、２２３        ：移動軸
２２４                ：係合溝
２３                  ：繰出コア
２３１                ：プーリー部
２４                  ：巻取コア
２４１                ：プーリー部
２５                  ：転写ヘッド
２６                  ：Ｏリング
【図１】
2018037578.tif 000004
【図２】
2018037578.tif 000005
【図３】
2018037578.tif 000006
【図４】
2018037578.tif 000007
【図５】
2018037578.tif 000008
【図６】
2018037578.tif 000009
【図７】
2018037578.tif 000010
【国際調査報告】
2018037578.tif 000011
2018037578.tif 000012
2018037578.tif 000013
2018037578.tif 000014